(57)【特許請求の範囲】
【請求項１】
筐体と、
ディスクを駆動し再生する機構が搭載され、前記筐体に対して挿抜自在な可動体と、
前記可動体に設けられた係合部と、
前記筐体に設けられ、この筐体内に挿入された前記可動体が前記挿抜の方向に所定のクリアランスを開けて該筐体内に保持されるように前記可動体の前記係合部と係合するロック位置に移動可能なロックレバーと、
前記係合部と係合した前記ロックレバーのロックを解除する力を発生するプランジャーと、
前記プランジャーが発生する力の方向と逆方向に該プランジャーの可動片を付勢する第１の付勢手段と、
前記可動体を前記筐体から吐き出す方向へ付勢する第２の付勢手段と、
前記第１の付勢手段の付勢力に対する前記可動片の質量の比率が、前記第２の付勢手段の付勢力に対する前記可動体の質量の比率と比べて小さく構成され、衝撃を受けたとき前記筐体内の前記可動体が、前記可動片の移動よりも先に前記所定のクリアランスを減少させる所定位置に移動した場合には、前記ロックレバーのロック解除方向への移動を規制する、前記可動体に設けられた解除規制部を有するロック解除規制手段と、
を具備することを特徴とするディスク装置。
【請求項２】
筐体と、
ディスクを駆動し再生する機構が搭載され、前記筐体に対して挿抜自在な可動体と、
前記可動体に設けられた突起部と、
前記筐体に設けられ、この筐体内に挿入された前記可動体が前記挿抜の方向に所定のクリアランスを開けて該筐体内に保持されるように前記可動体の前記突起部と係合するロック位置に移動可能なロックレバーと、
前記突起部と係合した前記ロックレバーのロックを解除する力を発生するプランジャーと、
前記プランジャーが発生する力の方向と逆方向に該プランジャーの可動片を付勢する第１の付勢手段と、
前記可動体を前記筐体から吐き出す方向へ付勢する第２の付勢手段と、
前記第１の付勢手段の付勢力に対する前記可動片の質量の比率が、前記第２の付勢手段の付勢力に対する前記可動体の質量の比率と比べて小さく構成され、衝撃を受けたとき前記筐体内の前記可動体が、前記可動片の移動よりも先に前記所定のクリアランスを減少させる所定位置に移動した場合には、前記ロックレバーのロック解除方向への移動を規制する、前記可動体に設けられた解除規制部を有するロック解除規制手段と、
を具備することを特徴とするディスク装置。
【請求項３】
請求項１または２記載のディスクにおいて、
前記解除規制部が、前記ロックレバーのロック解除方向への移動を阻止する位置に移動する移動量よりも、前記ロックレバーによりロックされた前記可動体が、筐体内に対し前記着脱方向に開けた所定のクリアランスの量のほうが多いことを特徴とするディスク装置。
【発明の詳細な説明】
【０００１】
【発明の属する技術分野】
本発明は、ＣＤ−ＲＯＭ、又はＤＶＤ−ＲＯＭ等の光ディスクを再生するディスク装置に関する。
【０００２】
【従来の技術】
従来、ノート型パソコン対応のディスクドライブにおいては、図９に示すように、ディスクを駆動及び再生するためのディスク駆動・再生機構が搭載されたドロワ５１と呼ばれる可動体と、このドロワ５１を矢印Ｙ１−Ｙ２方向に搬入出自在な筐体としてのキャビネット５２とからなる薄型構造のディスクドライブがある。
【０００３】
このようなディスクドライブには、イジェクトロック機構が設けられており、このジェクトロック機構は、例えばドロワ５１の前面に設けられたイジェクトボタンを押すことにより、ドロワ５１がキャビネット５２内から排出され、一方排出されたドロワ５１をユーザが手動により押してキャビネット５２内に挿入すると、キャビネット５２内にドロワ５１が収納された状態でロックが掛かるといったものである。
【０００４】
このイジェクトロック機構では、例えばキャビネット５２に、吸着型のプランジャー５３と、プランジャー５３の可動片（鉄心）５４に連動するロックレバー５５とが設けられている。そして、可動片５４を矢印Ｙ２方向に付勢するロックバネにより時計方向に付勢力を有するロックレバー５３と、ドロワ５１の裏面に設けられたロック用の突起とを、ドロワ５１がキャビネット５２内に挿入されたときに係合させて、キャビネット５２内にドロワ５１をロックさせる。
【０００５】
一方、ロックされたドロワ５１は、イジェクトボタンが押されたとき、プランジャー５４の可動片５５をロックバネの付勢力に抗しつつＹ１方向に吸着させロックレバー５３を反時計方向に回転させることでロックを解除し、図示しないイジェクトバネにより矢印Ｙ２方向に付勢力を有するドロワ５１をキャビネット５２内から排出させるようにしていた。
【０００６】
【発明が解決しようとする課題】
このようなノート型パソコン対応のディスクドライブにおいては、ユーザがパソコンを鞄に入れて持ち運ぶこと等を考慮すると、ロック機構として振動又は衝撃等に耐え得る強いロック力が必要となる。しかしながら、上述した従来のイジェクトロック機構では、プランジャー５３の可動片５４に、可動片５４を矢印Ｙ１方向に付勢するロックバネの付勢力を吸収する程の振動又は衝撃（加速度）が、可動片５４が吸着される矢印Ｙ１方向に加わった場合には、ロックレバー５３がロック解除方向である反時計方向に動いてしまいユーザの意思に反してロックが勝手に解除され、ドロア５１がキャビネット５２内から排出されてしまうこととなる。
【０００７】
本発明はこのような課題を解決するためになされたものであり、内蔵されたディスク搬入出用のトレイ等のイジェクトロック機構が、振動又は衝撃等に耐え得る強いロック力を発揮するディスク装置を提供しようとするものである。
【０００８】
【課題を解決するための手段】
上記目的を達成するために、本発明のディスク装置は、請求項１に記載されているように、筐体と、ディスクを駆動し再生する機構が搭載され、前記筐体に対して挿抜自在な可動体と、前記可動体に設けられた係合部と、前記筐体に設けられ、この筐体内に挿入された前記可動体が前記挿抜の方向に所定のクリアランスを開けて該筐体内に保持されるように前記可動体の前記係合部と係合するロック位置に移動可能なロックレバーと、前記係合部と係合した前記ロックレバーのロックを解除する力を発生するプランジャーと、前記プランジャーが発生する力の方向と逆方向に該プランジャーの可動片を付勢する第１の付勢手段と、前記可動体を前記筐体から吐き出す方向へ付勢する第２の付勢手段と、前記第１の付勢手段の付勢力に対する前記可動片の質量の比率が、前記第２の付勢手段の付勢力に対する前記可動体の質量の比率と比べて小さく構成され、衝撃を受けたとき前記筐体内の前記可動体が、前記可動片の移動よりも先に前記所定のクリアランスを減少させる所定位置に移動した場合には、前記ロックレバーのロック解除方向への移動を規制する、前記可動体に設けられた解除規制部を有するロック解除規制手段と、を具備することを特徴とする。
【０００９】
また、この発明のディスク装置は、請求項２に記載されているように、筐体と、ディスクを駆動し再生する機構が搭載され、前記筐体に対して挿抜自在な可動体と、前記可動体に設けられた突起部と、前記筐体に設けられ、この筐体内に挿入された前記可動体が前記挿抜の方向に所定のクリアランスを開けて該筐体内に保持されるように前記可動体の前記突起部と係合するロック位置に移動可能なロックレバーと、前記突起部と係合した前記ロックレバーのロックを解除する力を発生するプランジャーと、前記プランジャーが発生する力の方向と逆方向に該プランジャーの可動片を付勢する第１の付勢手段と、前記可動体を前記筐体から吐き出す方向へ付勢する第２の付勢手段と、前記第１の付勢手段の付勢力に対する前記可動片の質量の比率が、前記第２の付勢手段の付勢力に対する前記可動体の質量の比率と比べて小さく構成され、衝撃を受けたとき前記筐体内の前記可動体が、前記可動片の移動よりも先に前記所定のクリアランスを減少させる所定位置に移動した場合には、前記ロックレバーのロック解除方向への移動を規制する、前記可動体に設けられた解除規制部を有するロック解除規制手段と、を具備することを特徴とする。
【００１２】
また、本発明のディスク装置は、請求項３に記載されているように、請求項１または２記載のディスク装置において、前記解除規制部が、前記ロックレバーのロック解除方向への移動を阻止する位置に移動する移動量よりも、前記ロックレバーによりロックされた前記可動体が、筐体内に対し前記着脱方向に開けた所定のクリアランスの量のほうが多いことを特徴とする。
【００１４】
本発明のディスク装置は、可動体が筐体内に確実にロックされるために必要な筐体と可動体との間に形成されるクリアンス、いわゆるオーバーストロークを利用し、当該装置が衝撃を受けたときに、ロックレバー等のロック解除方向への移動を阻止する位置に、解除規制部が可動体とともに移動するように構成されている。これにより、イジェクトロック機構が、振動又は衝撃等に耐え得る強いロック力を発揮することができるので、ディスク装置に振動又は衝撃等が加わった場合でもユーザの意思に反してロックが勝手に解除されて可動体が筐体内から排出されてしまうような恐れはない。
【００１５】
【発明の実施の形態】
以下、本発明を実施する場合の形態について図面に基づき説明する。
【００１６】
図１は本発明の第１の実施形態にかかる、いわゆるノート型パソコン対応のＣＤ−ＲＯＭドライブの全体的な構成を示す斜視図、図２はこのＣＤ−ＲＯＭドライブのイジェクトロック機構を概略的に示す平面図及び側面図である。
【００１７】
これらの図に示すように、このＣＤ−ＲＯＭドライブは、ディスクを駆動及び再生するためのディスク駆動・再生機構が搭載された可動体としてのドロワ１と、このドロワ１を収納可能な筐体としてのキャビネット２とから構成されている。キャビネット２は上側キャビネットと下側キャビネットから構成されているが、同図では上側キャビネットの図示を省略してある。ドロワ１はキャビネット２に対して矢印Ｙ１−Ｙ２方向に出し入れ自在である。すなわち、キャビネット２の両側内壁にはドロワ１をガイド支持するための断面コの字状のガイドレール３が各々固定されており、これらのガイドレール４に、ドロワ１の両側に設けられたガイド突起４が、スライドレール５を介して各々嵌め込まれた形態で支持されている。
【００１８】
ドロワ１には、ディスクの外形に対応して窪んだ形状に形成されているディスク搭載部６と、ディスクモータ（図示せず）及びターンテーブル７等のディスク駆動機構と、回転駆動されるディスクの記録領域にレーザ光を照射してその反射光を取り込むことでディスクからデータを読出すピックアップ８と、このピックアップ８をディスクの半径方向に搬送するピックアップ送り機構等が設けられている。以上のディスクを駆動する機構とピックアップ８を支持搬送する機構とは、単一のメカシャーシ９上に搭載されており、このメカシャーシ９は、ドロワ１にダンパーゴム等の防振部材を介してフローティング構造で支持されている。さらに、ドロワ１の挿入方向の先端部分、及びこの先端部分と係合するキャビネット２の奥側には、ディスクの再生時等においてドロワ１のキャビネット２内への収納状態を保持するとともに、ディスクの交換時等にイジェクトボタンを押すことによりキャビネット２からドロワ１をイジェクトさせるイジェクトロック機構が設けられている。
【００１９】
このイジェクトロック機構としては、図１、図２に加え図３にも示すように、キャビネット２に、吸着型のプランジャー１１と、プランジャー１１の可動片としての鉄心１２に連動するロックレバー１３とが設けられている。さらに、このイジェクトロック機構は、鉄心１２を矢印Ｙ２方向に付勢するロックバネ１４により時計方向に付勢力を有するこのロックレバー１３と、ドロワ１にドロワ１の裏面から突出して設けられたロック突起部１５とを、ドロワ１がキャビネット２内に挿入されたときに係合させて、キャビネット２内にドロワ１をロックさせる。一方、ロックされたドロワ１は、例えばドロワ１の前面に設けられた図示しないイジェクトボタンが押されたとき、プランジャー１１の鉄心１２をロックバネ１４の付勢力に抗しつつＹ１方向に吸着させロックレバー１３を反時計方向に回転させることでロックを解除し、イジェクトバネ１６の付勢力により、キャビネット２に対し矢印Ｙ２方向に付勢力を有するドロワ１をキャビネット２内から排出させる。
【００２０】
ここで、イジェクトロック機構に付加されているロック解除規制機構について詳述する。
【００２１】
ところで、本実施形態のＣＤ−ＲＯＭドライブには、ドロワ１がキャビネット２内へ挿入されたとき、ロック突起部１５がロックレバー１３のフック１３ａを越えて確実にロックが掛かるように、ドロワ１をキャビネット２内へ収納するときの移動軌跡にオーバーストロークをもたせている。ロック解除規制機構は、このオーバーストロークを利用して、外部から強い衝撃（加速度）を受けたときに、ロックレバー１３のロック解除方向への移動を阻止するものである。
【００２２】
すなわち、ドロワ１には、ドロワ１の裏面からロックレバー１３と係合する高さまで突出された解除規制リブ１７が設けられており、キャビネット２に対するドロワ１の収納方向Ｙ１に衝撃（加速度）が加わったときに、図４に示すように、ドロワ１本体がオーバーストローク分、キャビネット３の奥側に移動することとなる。この際、解除規制リブ１７が、ロックレバー１３のロックの解除方向への移動を阻止する位置にくるように、ロック解除規制機構では、オーバーストローク量、ドロワ２上の解除規制リブ１７の位置及びキャビネット３上の位置が適切な位置又は量となっている。勿論、ＣＤ−ＲＯＭドライブに衝撃が加わっていない場合には、イジェクトバネ１６の付勢力により、ドロワ１はオーバーストローク分、矢印Ｙ２方向に付勢されているので、図２及び図３に示すように、ロックレバー１３の移動軌跡上には位置していないこととなり、ロックレバー１３の通常のイジェクト動作及びロック動作を妨げることはない。
【００２３】
さらに、ロック解除機構を構成するもう１つの要素としては、矢印Ｙ１方向に衝撃が加わったときに、鉄心１２が、前述した解除規制リブ１７を有するドロワ１よりも先に矢印Ｙ１方向に移動してしまっては、解除規制リブ１７がロックレバー１３の反時計方向への回転を阻止する前にロックレバー１３が回転し、ロックが解除されてしまうこととなるので、鉄心１２を矢印Ｙ２方向に付勢するロックバネ１４の荷重、鉄心の１２の重量、ドロワ１を矢印Ｙ２方向に付勢するイジェクトバネの荷重、及びドロワ１の重量が相対的に所定のバランスに構成されている。
【００２４】
すなわち、ロックバネ１４の荷重（ロック時）に対する鉄心の質量の比率を、イジェクトバネ１６の荷重（ロック時）に対するドロワ１の質量の比率と比べて十分小さくとる。
【００２６】
これにより、矢印Ｙ１方向に衝撃が加わった場合に、鉄心１２が矢印Ｙ１方向へ移動してロックレバー１３によるロックが解除されるよりも、先にドロワ１を矢印Ｙ１方向へ移動させることができるので、ドロワ１の解除規制リブ１７により、ロックレバー１３の反時計方向への回転を規制しロック解除を実質的に阻止することができる。
【００２７】
このように、本実施形態のＣＤ−ＲＯＭドライブによれば、ドロワ１がキャビネット２内に確実にロックされるために必要なオーバーストロークを利用して、当該ドライブが衝撃を受けたとき、プランジャー１１の鉄心１２の移動より早いタイミングでドロワ１を移動させるように構成したことで、ロックレバー１３のロック解除方向への移動を阻止する位置にドロワ１に設けられた解除規制リブ１７を移動することができる。これにより、イジェクトロック機構は、振動又は衝撃等に耐え得る強いロック力を発揮することができる。
【００２８】
次に、第２の実施形態について説明する。
【００２９】
図５は、本発明の第２の実施形態にかかるＣＤ−ＲＯＭドライブの全体的な構成を示す斜視図、図６はこのＣＤ−ＲＯＭドライブのイジェクトロック機構を概略的に示す平面図及び側面図である。
【００３０】
図５に示すように、第２の実施形態のＣＤ−ＲＯＭドライブには、イジェクトロック機構に鉄心解放型のプランジャー２１が用いられている。このイジェクトロック機構は、ロック解除時には、ユーザによりイジェクトボタンが押されると、プランジャー２１のコイルに電流が流れ、吸着されている鉄心２２が解放されるともに、ロック解除バネ２３によりＹ１方向に付勢されているイジェクトレバー２４により鉄心２２がＹ１方向に引出される。次にイジェクトレバー２４がＹ１方向に移動すると、イジェクトレバー２４のロック解除始動部２５によってロックレバー２６のロック解除部２７が押され、ロックレバー２６は、図６に示すようにロックレバー２６自身の有する樹脂バネ部２８による付勢力に抗しつつ反時計方向に回転させられる。これにより、ドロワ１ａの裏面から突出しているロック突起部２９との係合、すなわちロックが外れ、イジェクトバネ３０の付勢力によりドロワ１ａはキャビネット２ａより排出される。この際、イジェクトレバー２４のロック解除始動部２５と連動するリセットレバー３１の押圧部が押され、リセットレバー３１はドロワ１ａの裏面から突出しているリセットピン３２の移動軌跡上にリセットテーパ部３３がくるよう反時計方向に回転させられる。
【００３１】
一方、ロック時には、ユーザによりドロワ１ａがキャビネット２ａ内に収容される方向Ｙ１に押されると、リセットピン３２によりリセットレバー３１のリセットテーパ部３３が押され、リセットレバー３１が時計方向に回転させられる。これにより、リセットレバー３１の押圧部が、該押圧部と連動するイジェクトレバー２４のロック解除始動部２５を押すことにより鉄心２２がプランジャー２１本体に吸着される。この際、リセットレバー３１は、位置決めバネ３４により所定の位置に定位させられる。さらに、イジェクトレバー２４のロック解除始動部２５がロック時の位置に戻ったことから、樹脂バネ部２８の付勢力によりロックレバー２６も時計方向に回転させられる。ドロワ１ａがキャビネット２ａ内に収容される方向Ｙ１にさらに押されると、ロックレバー２６とロック突起部２９とが係合し、ロックが掛かる。これにより、ドロワ１ａはキャビネット２ａ内の定位置に保持される。
【００３２】
ここで、この実施形態のロック解除規制機構について説明する。
【００３３】
ドロワ１ａには、ドロワ１ａの裏面からリセットレバー３１のリセットテーパ部３３と係合する高さまで突出された解除規制リブ３５が設けられており、キャビネット２ａに対するドロワ１ａの収納方向Ｙ１に衝撃（加速度）が加わったときに、図７に示すように、ドロワ１ａ本体がオーバーストローク分、キャビネット２ａの奥側に移動することとなる。これにより、リセットレバー３１のリセットテーパ部３３と解除規制リブ３５とが接触するので、リセットレバー３１の押圧部、及びイジェクトレバー２４のロック解除始動部２５を介して連動しているイジェクトレバー２４は、矢印Ｙ１方向への移動が規制される。したがって、鉄心２２も矢印Ｙ１方向への移動を規制されるので、勿論ロックレバー２６も反時計方向、つまりロックが解除される方向へ回転させられることはなく、ロックの解除を実質的に阻止することができる。
【００３４】
なお、他の実施形態として、図８に示すように、ピックアップ４１を矢印Ｙ１方向へ搬送することによりロックを解除するイジェクトロック機構において、解除規制リブ４２とロック突起部４３とをキャビネット２ｂに設け、且つロックレバー４４をドロワ１ｂに設けることにより、第１、第２の実施形態と同様な効果が得られる。
【００３５】
また、本実施形態では、ＣＤ−ＲＯＭドライブに本発明を適用した場合について説明したが、ＤＶＤ−ＲＯＭドライブ、ＣＤドライブ等をはじめ、様々な種類のディスクドライブに本発明を適用することができる。
【００３６】
【発明の効果】
以上説明したように、本発明のディスク装置によれば、可動体が筐体内に確実にロックされるために必要な筐体と可動体との間に形成されるクリアンス、いわゆるオーバーストロークを利用し、当該装置が衝撃を受けたとき、プランジャー等の可動片の移動より早いタイミングで可動体を移動させるように構成したことで、ロックレバー等のロック解除方向への移動を阻止する位置に、可動体に設けられたロック解除規制部材等を移動することができる。これにより、イジェクトロック機構は、振動又は衝撃等に耐え得る強いロック力を発揮することができるので、ディスク装置に振動又は衝撃等が加わった場合でもユーザの意思に反してロックが勝手に解除され、可動体が筐体内から排出されてしまうような恐れはない。
【図面の簡単な説明】
【図１】本発明の第１の実施形態にかかるＣＤ−ＲＯＭドライブを概略的に示す斜視図
【図２】図１のＣＤ−ＲＯＭドライブのイジェクトロック機構によりロックが掛かっている状態を概略的に示す平面図及び側面図
【図３】図１のＣＤ−ＲＯＭドライブのイジェクトロック機構によりロックを掛けようとしている状態を概略的に示す平面図及び側面図
【図４】図１のＣＤ−ＲＯＭドライブにおいて、ロックレバーのロック解除が阻止されている状態を示す平面図及び側面図
【図５】第２の実施形態にかかるＣＤ−ＲＯＭドライブのイジェクトロック機構によりロックが掛かっている状態を概略的に示す平面図及び側面図。
【図６】図５のＣＤ−ＲＯＭドライブのイジェクトロック機構によりロックを掛けようとしている状態を概略的に示す平面図及び側面図。
【図７】図５のＣＤ−ＲＯＭドライブにおいて、ロックレバーのロック解除が阻止されている状態を示す平面図及び側面図。
【図８】本発明の他の実施形態のＣＤ−ＲＯＭドライブを概略的に示す平面図
【図９】従来のＣＤ−ＲＯＭドライブを概略的に示す斜視図
【符号の説明】
１、１ａ、１ｂ……ドロワ
２、２ａ、２ｂ……キャビネット
８、４１……ピックアップ
１１、２１……プランジャー
１２、２２……鉄心
１３、２６、４４……ロックレバー
１４……ロックバネ
１５、２９、４３……ロック突起部
１６、３０……イジェクトバネ
１７、３５、４２……解除規制リブ
２３……ロック解除バネ
２４……イジェクトレバー
２５……ロック解除始動部
２６、４４……ロックレバー
２７……ロック解除部
３１……リセットレバー
３３……リセットテーパ部
【図１】
0003730028.tif 000002
【図２】
0003730028.tif 000003
【図３】
0003730028.tif 000004
【図４】
0003730028.tif 000005
【図５】
0003730028.tif 000006
【図６】
0003730028.tif 000007
【図７】
0003730028.tif 000008
【図８】
0003730028.tif 000009
【図９】
0003730028.tif 000010